(57)【要約】【課題】サムネイル画像の拡大確認と選択とをシームレスに行うことができる情報処理装置を提供する。【解決手段】タッチパネル２０を備えた情報処理装置である画像形成装置１であって、サムネイル画像が一覧表示されたサムネイル一覧画面をタッチパネル２０に表示させ、タッチパネル２０へのタッチ操作を受け付ける一覧表示制御部１１と、タッチされているサムネイル画像の拡大画像をサムネイル一覧画面に合成してタッチパネル２０を表示させる拡大表示合成部１３と、サムネイル画像への押し込み操作の実行を検出する押圧力判定部１２と、を具備し、一覧表示制御部１１は、押し込み操作が実行されたサムネイル画像に対応する画像データの選択を受け付ける。【選択図】図１
2020046716.tif 000002
【特許請求の範囲】
【請求項１】
タッチパネルを備えた情報処理装置であって、
サムネイル画像が一覧表示されたサムネイル一覧画面を前記タッチパネルに表示させ、前記タッチパネルへのタッチ操作を受け付ける一覧表示制御部と、
タッチされている前記サムネイル画像の拡大画像を前記サムネイル一覧画面に合成して前記タッチパネルを表示させる拡大表示合成部と、
前記サムネイル画像への押し込み操作の実行を検出する押圧力判定部と、を具備し、
前記一覧表示制御部は、前記押し込み操作が実行された前記サムネイル画像に対応する画像データの選択を受け付けることをことを特徴とする情報処理装置。
【請求項２】
前記拡大表示合成部は、前記サムネイル画像へのタッチ操作が予め設定された第１設定時間以上継続すると、前記拡大画像を表示させることを特徴とする請求項１記載の情報処理装置。
【請求項３】
前記拡大表示合成部は、前記サムネイル画像へのタッチ操作が予め設定された第２設定時間以上継続すると、前記拡大画像の拡大率をアップさせることを特徴とする請求項２記載の情報処理装置。
【請求項４】
前記拡大表示合成部は、タッチ操作の移動速度に応じて、前記拡大画像の拡大率を変化させることを特徴とする請求項２記載の情報処理装置。
【請求項５】
前記拡大表示合成部は、前記拡大画像を半透明の状態で表示させることを特徴とする請求項１乃至４のいずれかに記載の情報処理装置。
【請求項６】
前記拡大表示合成部は、タッチした状態で指を動かさない場合、前記拡大画像の透明度を増加させ、指を動かした場合、前記拡大画像を初期の透明度に復活させることを特徴とする請求項５記載の情報処理装置。
【発明の詳細な説明】
【技術分野】
【０００１】
本発明は、画像データの縮小画像をタッチパネル上に一覧表示し、画像データの選択を受け付ける情報処理装置に関する。
【背景技術】
【０００２】
複数の画像データを記憶し、選択された画像データを出力する情報処理装置では、タッチパネル上に一覧表示した画像データの縮小画像によって選択を受け付けている（例えば、特許文献１参照）。
【先行技術文献】
【特許文献】
【０００３】
【特許文献１】特開２００５−２００７０号公報
【発明の概要】
【発明が解決しようとする課題】
【０００４】
しかしながら、縮小画像のみでは内容を把握できない場合、一覧表示した縮小画像で画像データを選択した後に、縮小画像よりも拡大した画像で確認（以下、拡大確認と称す）を行うことになる。そして、拡大確認で所望の画像データでなかった場合には、画像データの選択を解除することになり、ユーザ操作の利便性を良くないという問題点があった。
【０００５】
本発明は、上記問題点を鑑みてなされたものであり、その目的とするところは、サムネイル画像の拡大確認と選択とをシームレスに行うことができる情報処理装置を提供することを目的とする。
【課題を解決するための手段】
【０００６】
本発明の画像形成装置は、タッチパネルを備えた情報処理装置であって、サムネイル画像が一覧表示されたサムネイル一覧画面を前記タッチパネルに表示させ、前記タッチパネルへのタッチ操作を受け付ける一覧表示制御部と、タッチされている前記サムネイル画像の拡大画像を前記サムネイル一覧画面に合成して前記タッチパネルを表示させる拡大表示合成部と、前記サムネイル画像への押し込み操作の実行を検出する押圧力判定部と、を具備し、前記一覧表示制御部は、前記押し込み操作が実行された前記サムネイル画像に対応する画像データの選択を受け付けることをことを特徴とする。
【発明の効果】
【０００７】
本発明によれば、サムネイル画像の拡大画像によって内容を確認した画像データを、押し込み操作によって選択することができ、サムネイル画像の拡大確認と選択とをシームレスに行うことができるという効果を奏する。
【図面の簡単な説明】
【０００８】
【図１】本発明に係る画像形成装置の実施の形態の概略構成を示すブロック図である。
【図２】図１に示す一覧表示制御部によって操作部に表示されるサムネイル一覧画面例を示す図である。
【図３】図２に示すサムネイル一覧画面での画像データ選択動作を説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の情報処理装置は、複写機、ＭＦＰ（Multifunction Peripheral / Printer / Product）等の画像形成装置１である。
【００１１】
画像形成装置１は、図１を参照すると、原稿読取部２と、原稿給送部３と、画像形成部４と、操作部５と、記憶部６と、画像処理部７と、ＦＡＸ部８と、通信部９と、制御部１０とを備えている。
【００１２】
原稿読取部２は、原稿に対して光を照射し、その反射光等を受光して原稿画像を読み取る読取ユニットであり、原稿が載置されるコンタクトガラスと、原稿給送部３の搬送経路に設けられたスリットガラスとを備えている。
【００１３】
原稿給送部３は、原稿載置面に載置された原稿を１枚ずつ順に繰り出して原稿読取部２に給送する。また、原稿給送部３と原稿読取部２とは、画像形成装置１の奥側でヒンジ機構によって回動可能に接続されており、原稿給送部３は、コンタクトガラスに対向して設けられた回動可能な原稿台カバーとして機能する。原稿給送部３を上方に開くことで、コンタクトガラス上面が開放され、コンタクトガラスに原稿をセットできる状態となる。
【００１４】
画像形成部４は、例えば、感光体ドラムと、帯電部、露光部と、現像部と、転写部と、クリーニング部と、定着部とを備え、形成した画像を記録紙に記録する。
【００１５】
操作部５は、タッチパネル２０を備えている。タッチパネル２０は、液晶ディスプレイ等の表示部の表示画面上に透明な接触式のポインティングデバイスが積層されてなり、ポインティングデバイスにおける入力座標と、表示部上の表示座標とが対応付けられている。
【００１６】
タッチパネル２０は、タッチパネル２０に加わる押圧力を検出する押圧力検出部２１を備えている。押圧力検出部２１は、例えば、半導体歪ゲージや圧力による静電容量変化型デバイスを利用して、タッチパネル２０に加わる押圧力を検出する感圧センサーである。押圧力検出部２１は、検出した押圧力に比例した直流電圧を制御部１０に出力する。なお、静電容量変化型デバイスを利用する場合は、指を適切な位置に浮かしてスライドするのは難しいので、画面表面に弾力性のある透明な緩衝材を配置し、指とパネルの遠近を補助するように構成すると良い。
【００１７】
記憶部６は、半導体メモリやＨＤＤ（Hard Disk Drive）等の記憶手段であり、原稿読取部２によって原稿を読み取ることで取得された画像データ等の各種画像データが記憶される。
【００１８】
画像処理部７は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００１９】
ＦＡＸ部８は、モデムを有し、原稿読取部２によって読み取られた原稿画像等からＦＡＸ信号を生成し、生成したＦＡＸ信号を電話回線網等のネットワークを介して送信するＦＡＸ送信機能と、電話回線網等のネットワークを介してＦＡＸ信号を受信し、受信したＦＡＸ信号からＦＡＸ文書を生成するＦＡＸ受信機能とを備えている。
【００２０】
通信部９は、ＬＡＮ（Local Area Network）等のネットワークを介して各種データを送受信する機能を有する。
【００２１】
制御部１０は、ＣＰＵ（Central Processing Unit）、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１０は、ＲＯＭに記憶されている制御プログラムを読み出し、制御プログラムをＲＡＭに展開させることで装置全体の制御を行う。
【００２２】
また、制御部１０は、一覧表示制御部１１、押圧力判定部１２、拡大表示合成部１３として機能する。
【００２３】
一覧表示制御部１１は、記憶部６に記憶されている画像データのサムネイル画像を一覧表示したサムネイル一覧画面３０をタッチパネル２０を表示させ、タッチパネル２０へのタッチ操作を受け付ける。サムネイル一覧画面３０には、図２（ａ）に示すように、前画面へのリターンを指示するリターンキー３１と共に、選択された画像データの出力を指示する出力指示キーとして、ＦＡＸ送信を指示するＦＡＸキー３２と、データ送信を指示する送信キー３３と、印刷を指示する印刷キー３４とが配置されている。なお、サムネイル画像は、予め生成されたものを用いても良く、サムネイル一覧画面３０の生成時に画像データから生成したものを用いても良い。
【００２４】
押圧力判定部１２は、押圧力検出部２１からの出力に基づいて、押圧力が予め設定された押圧閾値を超えると、ユーザーによる押し込み操作の実行を検出する。なお、押圧力が押圧閾値以下の場合、一覧表示制御部１１は、通常のタッチ操作として受け付ける。
【００２５】
拡大表示合成部１３は、図２（ｂ）に示すように、タッチされているサムネイル画像の拡大画像をサムネイル一覧画面３０に合成してタッチパネル２０を表示させる。拡大表示合成部１３は、サムネイル画像の拡大画像を半透明の状態でサムネイル一覧画面３０と合成する。なお、サムネイル画像の拡大画像は、予め生成されたものを用いても良く、合成時にサムネイル画像を拡大して生成したものを用いても良く、合成時に画像データを縮小して生成したものを用いても良い。
【００２６】
次に、サムネイル一覧画面３０での画像データ選択動作について図３を参照して詳細に説明する。
【００２７】
サムネイル画像を用いた画像データの選択を受け付けると、一覧表示制御部１１は、サムネイル一覧画面３０をタッチパネル２０に表示させる。
【００２８】
一覧表示制御部１１は、サムネイル一覧画面３０に一覧表示されたいずれかのサムネイル画像へのタッチ操作を監視する（ステップＳ１０１）。
【００２９】
ステップＳ１０１でサムネイル画像へのタッチ操作を検出すると、一覧表示制御部１１は、予め設定された第１設定時間（例えば、２秒）の経過と（ステップＳ１０２）、ユーザーによる押し込み操作の実行と（ステップＳ１０３）、サムネイル画像へのタッチ解消と（ステップＳ１０４）、を監視する。
【００３０】
ステップＳ１０３で押圧力判定部１２によって押し込み操作の実行が検出されると、一覧表示制御部１１は、タッチされているサムネイル画像に対応する画像データの選択を受け付け（ステップＳ１０５）、ステップＳ１０１に戻って、他のサムネイル画像へのタッチ操作を監視する。すなわち、サムネイル画像へのタッチ操作が検出されてから、第１設定時間内に押し込み操作の実行が検出された場合は、ユーザーがサムネイル画像によって内容を把握した上での選択と判断する。
【００３１】
ステップＳ１０４でサムネイル画像へのタッチが解消されると、一覧表示制御部１１は、ステップＳ１０１に戻って、サムネイル画像へのタッチ操作を監視する。
【００３２】
ステップＳ１０２で第１設定時間が経過すると、拡大表示合成部１３は、タッチされているサムネイル画像の拡大画像をサムネイル一覧画面３０に合成してタッチパネル２０を表示させる（ステップＳ１０６）。すなわち、サムネイル画像へのタッチ操作が第１設定時間以上継続した場合、ユーザーがサムネイル画像では内容を十分に把握できないと判断し、サムネイル画像を拡大画像を表示させる。この際、拡大画像は、半透明であるため、元のサムネイル画像の位置を視認することができる。
【００３３】
次に、一覧表示制御部１１は、予め設定された第２設定時間（例えば、５秒）の経過と（ステップＳ１０７）、ユーザーによる押し込み操作の実行と（ステップＳ１０８）、サムネイル画像へのタッチ解消と（ステップＳ１０９）、を監視する。
【００３４】
ステップＳ１０７で第２設定時間が経過すると、拡大表示合成部１３は、サムネイル画像の拡大画像の拡大率をアップさせ、ステップＳ１０７に戻る。すなわち、サムネイル画像にタッチして第２設定時間が経過した場合、ユーザーが拡大画像をじっくり見たいと判断して拡大率をさらにアップさせる。なお、拡大画像が部分的な表示になる場合、サムネイル画像内でのタッチ位置の微小な移動に合わせて、拡大表示位置を変えると良い。また、拡大率が上限に達した場合には、一覧表示制御部１１は、ユーザーによる押し込み操作の実行と（ステップＳ１０８）、サムネイル画像へのタッチ解消と（ステップＳ１０９）、を監視する。
【００３５】
ステップＳ１０８で押圧力判定部１２によって押し込み操作の実行が検出されると、一覧表示制御部１１は、タッチされているサムネイル画像に対応する画像データの選択を受け付け（ステップＳ１１１）、拡大表示合成部１３は、サムネイル画像の拡大画像の表示を停止する（ステップＳ１１２）。
【００３６】
ステップＳ１０９でサムネイル画像へのタッチが解消されると、拡大表示合成部１３は、ステップＳ１１２に至って、サムネイル画像の拡大画像の表示を停止する。
【００３７】
ステップＳ１１２でサムネイル画像の拡大画像の表示が停止されると、一覧表示制御部１１は、タッチパネル２０へのタッチの解消と（ステップＳ１１３）、他のサムネイル画像へのタッチと（ステップＳ１１４）、を監視する。
【００３８】
ステップＳ１１３でタッチパネル２０へのタッチが解消されると、一覧表示制御部１１は、ステップＳ１０１に戻って、サムネイル画像へのタッチ操作を監視する。
【００３９】
ステップＳ１１４で他のサムネイル画像へのタッチ操作を検出すると、一覧表示制御部１１は、ステップＳ１０６に至って、タッチされているサムネイル画像の拡大画像をサムネイル一覧画面３０に合成してタッチパネル２０を表示させる。すなわち、タッチパネル２０に指を触れてスライドしている状態では、タッチしたサムネイル画像を次々と拡大画像が表示され、ユーザーは所望の画像データを簡単に探すことができる。そして、このスライドの過程での押し込み操作によって、所望の画像データを簡単に選択することができる。
【００４０】
なお、ステップＳ１０３、Ｓ１０８において、一覧表示制御部１１は、画像データが既に選択されている場合、選択を解除させる。
【００４１】
そして、選択された画像データの出力は、出力指示キー（ＦＡＸキー３２、送信キー３３、印刷キー３４）の操作によって実行される。なお、サムネイル一覧画面３０と出力とを紐づけして、画像データの選択によって出力が実行されるようにしても良い。
【００４２】
また、サムネイル画像の拡大画像の表示は、タッチ操作の移動速度（指を接触させた状態でのスライド移動の速度）によって拡大率を変えても良い。この場合、タッチ操作の移動速度が閾値速度よりも速い場合、ユーザーは画像データの全体像を見たいと判断し、拡大画像をタッチパネル２０の画面にフィットさせた拡大率で表示させる。そして、タッチ操作の移動速度の速度が閾値速度以下の場合は、ユーザーは拡大画像をじっくり見たいと判断し拡大率をさらに大きくし、サムネイル画像内での微小な移動に合わせて、拡大表示位置を変えると良い。
【００４３】
さらに、サムネイル画像の拡大画像の拡大率は、ピンチイン操作及びピンチアウト操作や、接触する指の本数によって変化させても良い。この場合、タッチパネル２０の画面よりも大きい拡大画像を表示している状態でピンチイン動作をすると、拡大画像を画面にフィットさせた拡大率に戻すと良い。
【００４４】
サムネイル画像の拡大画像を表示させる際に、透明度をコントロールしても良い。例えば、タッチした状態で指を動かさない場合、拡大表示合成部１３は、拡大画像の透明度が増加させて消えていくように制御することができる。そして、指を動かした場合、拡大表示合成部１３は、拡大画像を初期の透明度に復活させる。これにより、サムネイル画像の拡大画像を表示させた後でも、サムネイル画像一覧の確認を容易に行うことができる。また、サムネイルの拡大画像の透明化は、単純な透明度の増加処理だけでなく、フチのみを強調して残すようにしても良く、サムネイル画像の枠のみ残して画像は消すようにしても良い。
【００４５】
以上説明したように、本実施の形態によれば、タッチパネル２０を備えた情報処理装置である画像形成装置１であって、サムネイル画像が一覧表示されたサムネイル一覧画面３０をタッチパネル２０に表示させ、タッチパネル２０へのタッチ操作を受け付ける一覧表示制御部１１と、タッチされているサムネイル画像の拡大画像をサムネイル一覧画面３０に合成してタッチパネル２０を表示させる拡大表示合成部１３と、サムネイル画像への押し込み操作の実行を検出する押圧力判定部１２と、を具備し、一覧表示制御部１１は、押し込み操作が実行されたサムネイル画像に対応する画像データの選択を受け付ける。
この構成により、サムネイル画像の拡大画像によって内容を確認した画像データを、押し込み操作によって選択することができ、サムネイル画像の拡大確認と選択とをシームレスに行うことができる。
【００４６】
さらに、本実施の形態において、拡大表示合成部１３は、サムネイル画像へのタッチ操作が予め設定された第１設定時間以上継続すると、拡大画像を表示させる。
この構成により、ユーザーがサムネイル画像では内容を十分に把握できないと判断し、サムネイル画像を拡大画像を表示させることができる。
【００４７】
さらに、本実施の形態において、拡大表示合成部１３は、サムネイル画像へのタッチ操作が予め設定された第２設定時間以上継続すると、拡大画像の拡大率をアップさせる。
この構成により、ユーザーが拡大画像をじっくり見たいと判断して拡大率をさらにアップさせることができる。
【００４８】
さらに、本実施の形態において、拡大表示合成部１３は、タッチ操作の移動速度に応じて、拡大画像の拡大率を変化させる。
この構成により、ユーザーの操作状況を応じて拡大画像の拡大率を変化させることができる。
【００４９】
さらに、本実施の形態において、拡大表示合成部１３は、拡大画像を半透明の状態で表示させる。
この構成により、元のサムネイル画像の位置を視認することができる。
【００５０】
さらに、本実施の形態において、拡大表示合成部１３は、タッチした状態で指を動かさない場合、拡大画像の透明度を増加させ、指を動かした場合、拡大画像を初期の透明度に復活させる。
この構成により、サムネイル画像の拡大画像を表示させた後でも、サムネイル画像一覧の確認を容易に行うことができる。
【００５１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５２】
１  画像形成装置
２  原稿読取部
３  原稿給送部
４  画像形成部
５  操作部
６  記憶部
７  画像処理部
８  ＦＡＸ部
９  通信部
１０  制御部
１１  一覧表示制御部
１２  押圧力判定部
１３  拡大表示合成部
２０  タッチパネル
２１  押圧力検出部
３０  サムネイル一覧画面
３１  リターンキー
３２  ＦＡＸキー
３３  送信キー
３４  印刷キー
【図１】
2020046716.tif 000003
【図２】
2020046716.tif 000004
【図３】
2020046716.tif 000005